(57)【要約】【課題】箱本体の装着部に容易に電気部品を装着することができる電気接続箱を提供する。【解決手段】電気接続箱１は、箱本体２と、箱本体２に取り付けられるリレー９などを有している。箱本体２は、上面２ａにリレー９が装着される装着部４が設けられている。装着部４は、内側にリレー９が挿入される箱本体２の上面２ａから立設した筒部５と、該筒部５を貫通し且つ筒部５の周方向に沿って互いに間隔をあけて配された複数の開口部６と、該開口部６内に設けられ且つリレー９を筒部５の内側に向かって押圧して該筒部５内に保持する複数の保持部７とを有している。複数の保持部７は、それぞれ、一端２１ａが開口部６の箱本体２の上面２ａから離れた側の内縁に連なり且つ該一端２１ａから箱本体２の上面２ａに向かって延びて他端２１ｂが自由端に形成されたアーム部２１と、他端２１ｂから筒部５の内側に向かって突出した突部２２と、を有している。【選択図】図１
2010057305.tif 000002
【特許請求の範囲】
【請求項１】
表面に電気部品を装着する装着部が設けられた箱本体を有する電気接続箱であって、
前記装着部は、前記表面から立設し且つ内側に前記電気部品が挿入される筒部と、前記筒部を貫通し且つ該筒部の周方向に沿って互いに間隔をあけて配された複数の開口部と、前記開口部内に設けられ且つ前記電気部品を前記筒部の内側に向かって押圧することで該筒部内に保持する複数の保持部と、を有しており、
前記複数の保持部が、それぞれ、一端が前記開口部の前記表面から離れた側の内縁に連なり且つ前記一端から前記表面に向かって延びて他端が自由端に形成されたアーム部と、前記他端から前記筒部の内側に向かって突出した突部と、を有していることを特徴とする電気接続箱。
【請求項２】
前記複数の保持部のうち少なくとも互いに相対する二つの保持部各々の前記突部が、前記筒部内に前記電気部品を収容した際に該電気部品の係止突起と係止することを特徴とする請求項１に記載の電気接続箱。
【請求項３】
前記突部が、前記一端側の面に、前記他端から突出するにしたがって徐々に前記表面に近づく方向に傾斜した傾斜面を有していることを特徴とする請求項１又は請求項２に記載の電気接続箱。
【発明の詳細な説明】
【技術分野】
【０００１】
本発明は、移動体としての自動車などに搭載される電気接続箱に関する。
【背景技術】
【０００２】
移動体としての自動車には、一般に、ヘッドランプ及びテールランプ等のランプ類、スタータモータ及びエアコンディショナ用のモータ等のモータ類、などの多種多様な電子機器が搭載されている。
【０００３】
前述した多種多様な電子機器に電力を供給するために、前記自動車は、ジャンクションブロックを適宜箇所に配置してきた。前記ジャンクションブロックは、多数のヒューズやリレー等の各種の電気回路ユニットを集約して構成されている。
【０００４】
なお、ジャンクションブロックは、ヒューズ、リレー、ブスバーなどを有することもあることから、ヒューズブロック、リレーボックス、又は総称して電気接続箱（例えば、特許文献１参照）とも呼ばれる。本明細書では、前述したヒューズブロック、リレーボックス、ジャンクションブロックを、総称して以下電気接続箱と呼ぶ。
【０００５】
前述した特許文献１に示された電気接続箱は、外郭を形成する箱本体と、該箱本体に取り付けられるカバー部材などを備えている。箱本体は、絶縁性の合成樹脂で構成されて、箱状に形成されている。また、箱本体の表面には、リレーやヒューズなどの電気部品が装着される装着部が設けられている。
【０００６】
装着部は、箱本体を貫通し且つ前述した電気部品の端子を挿通する貫通孔と、箱本体の表面から立設し且つ互いに間隔をあけて貫通孔を囲むように配された複数の立設壁と、箱本体の表面から立設し且つ複数の立設壁の間に配された電気部品の係止突起と係止する係止部とを備えている。複数の立設壁には、それぞれ、箱本体の表面から離れた先端側に当該複数の立設壁の内側に向かって突出した突部が複数設けられている。
【０００７】
そして、前述した構成の電気接続箱は、電気部品を装着部の複数の立設壁の内側に挿入することにより、複数の立設壁の各突部が電気部品を該複数の立設壁の内側に向かって押圧するとともに、係止部が電気部品の係止突起に係止して、電気部品を装着部に固定する。
【特許文献１】特開２００７−２０３５７号公報
【発明の開示】
【発明が解決しようとする課題】
【０００８】
しかしながら、前述した特許文献１に開示された電気接続箱は、装着部の複数の立設壁の内側に電気部品を挿入する際に、電気部品によって複数の立設壁の各突部が箱本体の表面に向かって押されて、複数の立設壁の箱本体の表面から離れた端部が内側に倒れるように変形してしまい、電子部品を複数の立設壁の内側に挿入する挿入力が大きくなるため、箱本体の装着部に電気部品を取り付け難くなる場合があるという問題があった。
【０００９】
したがって、本発明の目的は、箱本体の装着部に容易に電気部品を装着することができる電気接続箱を提供することにある。
【課題を解決するための手段】
【００１０】
前記課題を解決し目的を達成するために、請求項１に記載された発明は、表面に電気部品を装着する装着部が設けられた箱本体を有する電気接続箱であって、前記装着部は、前記表面から立設し且つ内側に前記電気部品が挿入される筒部と、前記筒部を貫通し且つ該筒部の周方向に沿って互いに間隔をあけて配された複数の開口部と、前記開口部内に設けられ且つ前記電気部品を前記筒部の内側に向かって押圧することで該筒部内に保持する複数の保持部と、を有しており、前記複数の保持部が、それぞれ、一端が前記開口部の前記表面から離れた側の内縁に連なり且つ前記一端から前記表面に向かって延びて他端が自由端に形成されたアーム部と、前記他端から前記筒部の内側に向かって突出した突部と、を有していることを特徴とする電気接続箱である。
【００１１】
請求項２に記載された発明は、請求項１に記載された発明において、前記複数の保持部のうち少なくとも互いに相対する二つの保持部各々の前記突部が、前記筒部内に前記電気部品を収容した際に該電気部品の係止突起と係止することを特徴とするものである。
【００１２】
請求項３に記載された発明は、請求項１又は請求項２に記載された発明において、前記突部が、前記一端側の面に、前記他端から突出するにしたがって徐々に前記表面に近づく方向に傾斜した傾斜面を有していることを特徴とするものである。
【００１３】
請求項１に記載された発明によれば、箱本体の表面に設けられた電気部品を装着する装着部は、内側に電気部品が挿入される箱本体の表面から立設した筒部と、該筒部を貫通し且つ筒部の周方向に沿って互いに間隔をあけて配された複数の開口部と、該開口部内に設けられ且つ電気部品を筒部の内側に向かって押圧して該筒部内に保持する複数の保持部とを有し、前記複数の保持部が、それぞれ、一端が開口部の箱本体の表面から離れた側の内縁に連なり且つ該一端から箱本体の表面に向かって延びて他端が自由端に形成されたアーム部と、他端から筒部の内側に向かって突出した突部と、を有しているので、装着部の筒部内に電気部品を挿入した際に、複数の保持部の各アーム部が弾性変形して、複数の保持部の各突部が電気部品によって確実に筒部の外側に押し出されるため、電気部品を装着部の筒部内に挿入する挿入力を低減することができる。
【００１４】
請求項２に記載された発明によれば、複数の保持部のうち少なくとも互いに相対する二つの保持部各々の突部が、筒部内に電気部品を収容した際に該電気部品の係止突起と係止するので、装着部の筒部内に電気部品を挿入するだけで、電気部品の筒部内への保持及び固定を一括して行うことができる。
【００１５】
請求項３に記載された発明によれば、突部が、一端側の面に、他端から突出するにしたがって徐々に表面に近づく方向に傾斜した傾斜面を有しているので、装着部の筒部内に挿入した電気部品によって複数の保持部の各突部が筒部の外側に押し出される際の、電気部品と複数の保持部の各突部との摩擦を低減することができる。
【発明の効果】
【００１６】
以上説明したように、請求項１に記載の発明は、装着部の筒部内に電気部品を挿入した際に、複数の保持部の各アーム部が弾性変形して、複数の保持部の各突部が電気部品によって筒部の外側に押し出されるため、電気部品を装着部の筒部内に挿入する挿入力を低減することができるので、箱本体の装着部に電気部品を容易に装着することができる。
【００１７】
請求項２に記載の発明は、装着部の筒部内に電気部品を挿入するだけで、電気部品の筒部内への保持及び固定を一括して行うことができるので、箱本体の装着部に電気部品を装着するための作業工数及び部品点数の削減が可能となる。
【００１８】
請求項３に記載の発明は、装着部の筒部内に挿入した電気部品によって複数の保持部の各突部が筒部の外側に押し出される際の、電気部品と複数の保持部の各突部との摩擦を低減することができるので、電気部品を装着部の筒部内に挿入する挿入力を低減することができ、よって、装着部の筒部内に電気部品をスムーズに挿入することができる。また、電気部品及び複数の保持部の各突起の破損を低減することができ、箱本体の装着部に電気部品を確実に固定することができる。
【発明を実施するための最良の形態】
【００１９】
以下、本発明の一実施の形態に係る電気接続箱を、図１乃至図６に基づいて説明する。本実施形態に係る図１に示す電気接続箱１は、移動体としての自動車に搭載される。
【００２０】
電気接続箱１は、図１に示すように、箱本体２と、ロアカバー３と、電気部品としてのリレー９と、図示しない配線盤などを備えている。箱本体２は、絶縁性の合成樹脂からなり、周知の射出成形により成形される。箱本体２は、天井壁１１と、該天井壁１１の外縁から立設し且つ互いに連なる複数の外壁１２とにより、図１中下方側に開口する箱状に形成されて、その内側に前記配線盤を収容するための空間が形成されている。
【００２１】
箱本体２の上面（表面に相当する）２ａには、リレー９が装着される装着部４が複数設けられている。この装着部４の詳細な説明については後述する。
【００２２】
また、箱本体２の外壁１２には、当該箱本体２とロアカバー３との固定用の係止部１３が複数設けられている。係止部１３は、外壁１２から突出し且つ平面視がコ字状に形成されており、一部が外壁１２の箱本体２の上面２ａから離れた縁部から突出して、ロアカバー３の後述する係止凸部１５が係合される係合孔１３ａが設けられている。
【００２３】
そして、箱本体２は、係止部１３の係合孔１３ａ内にロアカバー３の後述する係止凸部１５が係合して、係止部１３と係止凸部１５とが係止することで、当該箱本体２の図１中下方側に位置する下面にロアカバー３が取り付けられる。
【００２４】
ロアカバー３は、絶縁性の合成樹脂などからなり、周知の射出成形により成形される。ロアカバー３は、図１中下方に位置する図示しない底壁と、該底壁の外縁から立設し且つ互いに連なる複数の外壁１４を備えて、有底筒状に形成されている。ロアカバー３の外壁１４には、前述した係止部１３と係止する係止凸部１５が複数設けられている。また、ロアカバー３の図１中下方に位置する底壁（図示せず）には、自動車に搭載される各種の電子機器と接続したワイヤハーネスの端末に設けられたコネクタが嵌合する。
【００２５】
そして、ロアカバー３は、係止凸部１５が箱本体２の係止部１３に係止して、箱本体２の前述した下面を覆うように、箱本体２に取り付けられる。箱本体２とロアカバー３とが互いに組み付けられる際には、これらの箱本体２とロアカバー３とは前述した天井壁１１及び底壁に対し直交する方向に沿って、互いに近づけられる。
【００２６】
リレー９は、内側に内部コイルなどを収容したブロック状の本体部１６と、この本体部１６の図１中下方に位置する図示しない底面から突出した導電性を有する帯板状の複数の端子１７と、本体部１６の側面に突設され且つ互いに相対する一対の係止突起１８とを備えている。
【００２７】
複数の端子１７は、それぞれ、リレー９が装着部４に装着された際に、該装着部４の後述する各挿通孔８を通されて、配線盤の後述する各バスバと電気的に接続される。一対の係止突起１８は、互いに本体部１６の径方向に沿って相対するように配されている。一対の係止突起１８は、それぞれ、リレー９が装着部４に装着された際に、該装着部４の後述する互いに相対する各保持部７の突部２２に係止して、リレー９を装着部４の後述する筒部５内に固定する。
【００２８】
配線盤は、導電性のバスバと、絶縁板などを備えている。バスバは、導電性の板金に打ち抜き加工などのプレス加工が施されて得られる。バスバは、複数設けられている。複数のバスバは、互いに重ねられている。絶縁板は、互いに重ねられたバスバ間などに配され、バスバ同士が意図しない箇所で相互に電気的に接続すること則ち短絡することを防止するとともに、バスバを位置決めしている。
【００２９】
そして、前述した配線盤は、箱本体２内に収容されると、バスバが前述したワイヤハーネスのコネクタと、装着部４に装着されたリレー９とを予め定められたパターンにしたがって、互いに電気的に接続する。
【００３０】
装着部４は、図１又は図２に示すように、内側に前述したリレー９が挿入される筒部５と、複数の開口部６と、リレー９を筒部５の内側に向かって押圧することで該筒部５内に保持する複数の保持部７と、前述したリレー９の各端子１７がそれぞれ挿通される複数の挿通孔８とを備えている。筒部５は、箱本体２の上面２ａから立設し且つ互いに連なる複数の周壁２０を備えて、角筒状に形成されている。
【００３１】
複数の開口部６は、それぞれ、筒部５の各周壁２０に設けられているとともに、筒部５の各周壁２０を貫通して、平面視が矩形状に形成されている。即ち、複数の開口部６は、筒部５の周方向に沿って互いに間隔をあけて配されている。
【００３２】
複数の保持部７は、それぞれ、複数の開口部６各々の内側に設けられており、アーム部２１と、突部２２とを備えている。アーム部２１は、帯板状に形成されており、長手方向の一端２１ａが前述した開口部６の箱本体２の上面２ａから離れた側の内縁に連なり且つ他端２１ｂが自由端となっている。即ち、アーム部２１は、開口部６の箱本体２の上面２ａから離れた側の内縁に連なった一端２１ａから前記上面２ａに向かって延び且つ他端２１ｂが自由端となって、弾性変形可能に設けられている。
【００３３】
突部２２は、アーム部２１の他端２１ｂに設けられているとともに、該他端２１ｂから箱本体２の内側に向かって突出して形成されている。また、突部２２は、図３に示すように、一端２１ａ側の面に、前記他端２１ｂから突出するにしたがって徐々に箱本体２の上面２ａに近づく方向に傾斜した傾斜面２３が設けられている。
【００３４】
複数の挿通孔８は、それぞれ、図２に示すように、箱本体２の天井壁１１を貫通し且つ平面視が矩形状に形成されている。複数の挿通孔８は、筒部５の内側に配されている。そして、複数の挿通孔８は、それぞれ、装着部４にリレー９が装着された際に、該リレー９の各端子１７が挿通される。
【００３５】
前述した構成の電気接続箱１は、図１に示すように、箱本体２の上面２ａの装着部４の図１中上方にリレー９を相対させて、図４に示すように、装着部４の筒部５内にリレー９を該リレー９の複数の端子１７側から挿入する。
【００３６】
そして、装着部４の複数の挿通孔８それぞれにリレー９の各端子１７を通すとともに、装着部４の筒部５内にリレー９の本体部１６を挿入させていくと、装着部４の複数の保持部７の各突部２２の傾斜面２３にリレー９の本体部１６が当接する。すると、図５に示すように、装着部４の複数の保持部７の各アーム部２１が弾性変形して、該複数の保持部７の各突部２２がリレー９の本体部１６によって筒部５の外側に押し出される。
【００３７】
さらに、筒部５内にリレー９の本体部１６を挿入させていくと、図６に示すように、複数の保持部７のうちの互いに相対する（図６中左右方向に相対する）二つの保持部７の各突部２２が、リレー９の一対の係止突起１８を乗り越えて該一対の係止突起１８各々と係止する。
【００３８】
そして、複数の保持部７が、各アーム部２１の弾性復元力によって、筒部５内にリレー９の本体部１６を保持するとともに、当該複数の保持部７のうちの互いに相対する（図６中左右方向に相対する）二つの保持部７の各突部２２が、リレー９の一対の係止突起１８各々と係止することで、筒部５内にリレー９の本体部１６を固定する。こうして、前述した構成の電気接続箱１は、箱本体２の装着部４にリレー９が装着される。
【００３９】
本実施形態によれば、箱本体２の上面２ａに設けられたリレー９を装着する装着部４は、内側にリレー９が挿入される箱本体２の上面２ａから立設した筒部５と、該筒部５を貫通し且つ筒部５の周方向に沿って互いに間隔をあけて配された複数の開口部６と、該開口部６内に設けられ且つリレー９を筒部５の内側に向かって押圧して該筒部５内に保持する複数の保持部７とを有し、前記複数の保持部７が、それぞれ、一端２１ａが開口部６の箱本体２の上面２ａから離れた側の内縁に連なり且つ該一端２１ａから箱本体２の上面２ａに向かって延びて他端２１ｂが自由端に形成されたアーム部２１と、他端２１ｂから筒部５の内側に向かって突出した突部２２とを有している。
【００４０】
このため、装着部４の筒部５内にリレー９を挿入した際に、複数の保持部７の各アーム部２１が弾性変形して、複数の保持部７の各突部２２がリレー９によって筒部５の外側に押し出されるので、リレー９を装着部４の筒部５内に挿入する挿入力を低減することができる。したがって、箱本体２の装着部４にリレー９を容易に装着することができる。
【００４１】
また、複数の保持部７のうち少なくとも互いに相対する二つの保持部７各々の突部２２が、筒部５内にリレー９を収容した際に該リレー９の係止突起１８と係止するので、装着部４の筒部５内にリレー９を挿入するだけで、リレー９の筒部５内への保持及び固定を一括して行うことができる。このため、箱本体２の装着部４にリレー９を装着するための作業工数及び部品点数の削減が可能となる。
【００４２】
さらに、突部２２が、一端２１ａ側の面に、他端２１ｂから突出するにしたがって徐々に上面２ａに近づく方向に傾斜した傾斜面２３を有しているので、装着部４の筒部５内に挿入したリレー９によって複数の保持部７の各突部２２が筒部５の外側に押し出される際の、リレー９と複数の保持部７の各突部２２との摩擦を低減することができる。このため、リレー９を装着部４の筒部５内に挿入する挿入力を低減することができ、よって、装着部４の筒部５内にリレー９をスムーズに挿入することができる。また、リレー９及び複数の保持部７の各突部２２の破損を低減することができ、箱本体２の装着部４にリレー９を確実に固定することができる。
【００４３】
前述した実施形態では、電気接続箱１の箱本体２の装着部４に装着される電気部品としてリレー９を例に挙げて説明したが、本発明はこれに限定されるものではなく、例えば、ヒューズ等を用いても良いことは勿論である。
【００４４】
なお、前述した実施形態は、本発明の代表的な形態を示したに過ぎず、本発明は、実施形態に限定されるものではない。即ち、本発明の骨子を逸脱しない範囲で種々変形して実施することができる。
【図面の簡単な説明】
【００４５】
【図１】本発明の一実施の形態に係る電気接続箱を示す斜視図である。
【図２】図１に示された電気接続箱の装着部を示す平面図である。
【図３】図１中のＩＩＩ−ＩＩＩ線に沿った断面図である。
【図４】図３に示された装着部の筒部内に電気部品を挿入している状態を示す断面図である。
【図５】図４に示された状態の電気部品がさらに装着部の筒部内に挿入された状態を示す断面図である。
【図６】図５に示された装着部に電気部品が取り付けられた状態を示す断面図である。
【符号の説明】
【００４６】
１      電気接続箱
２      箱本体
２ａ    上面（表面）
４      装着部
５      筒部
６      開口部
７      保持部
９      リレー（電気部品）
１８    係止突起
２１    アーム部
２１ａ  一端
２１ｂ  他端
２２    突部
２３    傾斜面
【図１】
2010057305.tif 000003
【図２】
2010057305.tif 000004
【図３】
2010057305.tif 000005
【図４】
2010057305.tif 000006
【図５】
2010057305.tif 000007
【図６】
2010057305.tif 000008